(57)【要約】【課題】容易かつ簡単にメニューを選択することができるスクロール画面を有するメニュー選択入力端末を提供する。【解決手段】メニュー選択入力端末１０はスクロール画面１０Ａを含んでいる。またこのスクロール画面１０Ａは複数のカテゴリー要素１１ａを含むカテゴリー選択領域１１と、複数のメニュー種類要素１２ａを含むメニュー種類選択領域１２と、複数のサイズ要素１３ａを含むサイズ選択領域１３と、複数のセットメニュー要素１４ａを含むセットメニュー選択領域１４とを備えている。カテゴリー選択領域１１、メニュー種類選択領域１２、サイズ選択領域１３およびセットメニュー選択領域１４は、各々横方向にスクロールされ、各々の要素１１ａ、１２ａ、１３ａ、１４ａを中央にもってくることにより、各要素１１ａ、１２ａ、１３ａ、１４ａが決定される。【選択図】図１
2014106684.tif 000002
【特許請求の範囲】
【請求項１】
スクロール画面を含む商品メニューを選択するメニュー選択入力端末において、
スクロール画面は複数のカテゴリー要素を含むカテゴリー選択領域と、
複数のメニュー種類要素を含むメニュー種類選択領域とを備え、
カテゴリー選択領域のカテゴリー要素およびメニュー種類選択領域のメニュー種類要素はスクロール画面の横方向にスクロールされて、所望のカテゴリー要素および所望のメニュー種類要素をスクロール画面の中央にもってくることにより、当該カテゴリー要素および当該メニュー種類要素が決定されることを特徴とするメニュー選択入力端末。
【請求項２】
所望のカテゴリー要素をスクロール画面の中央にもってきて決定したとき、複数のメニュー種類要素のうち、決定されたカテゴリー要素に関連するメニュー種類要素のみが選択可能な要素として表示されることを特徴とする請求項１記載のメニュー選択入力端末。
【請求項３】
決定されたカテゴリー要素およびメニュー種類要素に基づいて定まる商品メニューを表示する商品メニュー画面を更に備えたことを特徴とする請求項１または２のいずれか記載のメニュー選択入力端末。
【請求項４】
スクロール画面は、複数のサイズ要素を含むサイズ選択領域を有し、サイズ選択領域のサイズ要素はスクロール画面の横方向にスクロールされて、所望のサイズ要素をスクロール画面の中央にもってくることにより、当該サイズ要素が決定されることを特徴とする請求項１乃至３のいずれか記載のメニュー選択入力端末。
【請求項５】
スクロール画面は、複数のセットメニュー要素を含むセットメニュー選択領域を有し、セットメニュー選択領域のセットメニュー要素はスクロール画面の横方向にスクロールされて、所望のセットメニュー要素をスクロール画面の中央にもってくることにより、当該セットメニュー要素が決定されることを特徴とする請求項１乃至４のいずれか記載のメニュー選択入力端末。
【請求項６】
複数のカテゴリー要素を含むカテゴリー選択領域と、複数のメニュー種類要素を含むメニュー種類選択領域とを備えたスクロール画面を含むメニュー選択入力端末を用いて商品メニューを選択入力するメニュー選択入力方法において、
カテゴリー選択領域のカテゴリー要素をスクロール画面の横方向にスクロールして、所望のカテゴリーをスクロール画面の中央にもってくることにより、当該カテゴリー要素を決定する工程と、
メニュー種類選択領域のメニュー種類要素をスクロール画面の横方向にスクロールして、所望のメニュー種類要素をスクロール画面の中央にもってくることにより、当該メニュー種類要素を決定する工程と、を備えたことを特徴とするメニュー選択入力方法。
【請求項７】
所望のカテゴリー要素をスクロール画面の中央にもってきて決定したとき、複数のメニュー種類要素のうち、決定されたカテゴリー要素に関連するメニュー種類要素のみが選択可能な要素として表示されることを特徴とする請求項６記載のメニュー選択入力方法。
【請求項８】
決定されたカテゴリー要素およびメニュー種類要素に基づいて定まる商品メニューを表示する商品メニュー画面を更に備えたことを特徴とする請求項６または７のいずれか記載のメニュー選択入力方法。
【請求項９】
スクロール画面は、複数のサイズ要素を含むサイズ選択領域を有し、サイズ選択領域のサイズ要素はスクロール画面の横方向にスクロールされて、所望のサイズ要素をスクロール画面の中央にもってくることにより、当該サイズ要素が決定されることを特徴とする請求項６乃至８のいずれか記載のメニュー選択入力方法。
【請求項１０】
スクロール画面は、複数のセットメニュー要素を含むセットメニュー選択領域を有し、セットメニュー選択領域のセットメニュー要素はスクロール画面の横方向にスクロールされて、所望のセットメニュー要素をスクロール画面の中央にもってくることにより、当該セットメニュー要素が決定されることを特徴とする請求項６乃至９のいずれか記載のメニュー選択入力方法。
【発明の詳細な説明】
【技術分野】
【０００１】
本発明はレストラン等で店員がメニューを選択するメニュー選択入力端末に係り、とりわけ容易かつ簡単にメニューを選択することができるメニュー選択入力端末に関する。
【背景技術】
【０００２】
従来より、レストラン等では店員がお客様から所望のメニューをオーダーされた際、店員はメニュー選択端末に当該メニューに該当する番号を打込んでいる。
【０００３】
そしてメニュー選択端末に打込まれた番号に対応するメニューが準備され、お客様へ提供される。
【０００４】
しかしながらメニュー選択端末に、お客様からオーダーされた所望メニューに該当する番号を打込む作業は容易ではなく、スマートフォン等のスクロール画面を有するメニュー選択端末を用いてメニューを選択する手法が望まれている。
【発明の概要】
【発明が解決しようとする課題】
【０００５】
本発明はこのような点を考慮してなされたものであり、スクロール画面を有するメニュー選択端末を用いて容易かつ簡単にメニューを選択することができるメニュー選択端末を提供することを目的とする。
【課題を解決するための手段】
【０００６】
本発明は、スクロール画面を含む商品メニューを選択するメニュー選択入力端末において、スクロール画面は複数のカテゴリー要素を含むカテゴリー選択領域と、複数のメニュー種類要素を含むメニュー種類選択領域とを備え、カテゴリー選択領域のカテゴリー要素およびメニュー種類選択領域のメニュー種類要素はスクロール画面の横方向にスクロールされて、所望のカテゴリー要素および所望のメニュー種類要素をスクロール画面の中央にもってくることにより、当該カテゴリー要素および当該メニュー種類要素が決定されることを特徴とするメニュー選択入力端末である。
【０００７】
本発明は、所望のカテゴリー要素をスクロール画面の中央にもってきて決定したとき、複数のメニュー種類要素のうち、決定されたカテゴリー要素に関連するメニュー種類要素のみが選択可能な要素として表示されることを特徴とするメニュー選択入力端末である。
【０００８】
本発明は、決定されたカテゴリー要素およびメニュー種類要素に基づいて定まる商品メニューを表示する商品メニュー画面を更に備えたことを特徴とするメニュー選択入力端末である。
【０００９】
本発明は、スクロール画面は、複数のサイズ要素を含むサイズ選択領域を有し、サイズ選択領域のサイズ要素はスクロール画面の横方向にスクロールされて、所望のサイズ要素をスクロール画面の中央にもってくることにより、当該サイズ要素が決定されることを特徴とするメニュー選択入力端末である。
【００１０】
本発明は、スクロール画面は、複数のセットメニュー要素を含むセットメニュー選択領域を有し、セットメニュー選択領域のセットメニュー要素はスクロール画面の横方向にスクロールされて、所望のセットメニュー要素をスクロール画面の中央にもってくることにより、当該セットメニュー要素が決定されることを特徴とするメニュー選択入力端末である。
【００１１】
本発明は、複数のカテゴリー要素を含むカテゴリー選択領域と、複数のメニュー種類要素を含むメニュー種類選択領域とを備えたスクロール画面を含むメニュー選択入力端末を用いて商品メニューを選択入力するメニュー選択入力方法において、カテゴリー選択領域のカテゴリー要素をスクロール画面の横方向にスクロールして、所望のカテゴリーをスクロール画面の中央にもってくることにより、当該カテゴリー要素を決定する工程と、メニュー種類選択領域のメニュー種類要素をスクロール画面の横方向にスクロールして、所望のメニュー種類要素をスクロール画面の中央にもってくることにより、当該メニュー種類要素を決定する工程と、を備えたことを特徴とするメニュー選択入力方法である。
【００１２】
本発明は、所望のカテゴリー要素をスクロール画面の中央にもってきて決定したとき、複数のメニュー種類要素のうち、決定されたカテゴリー要素に関連するメニュー種類要素のみが選択可能な要素として表示されることを特徴とするメニュー選択入力方法である。
【００１３】
本発明は、決定されたカテゴリー要素およびメニュー種類要素に基づいて定まる商品メニューを表示する商品メニュー画面を更に備えたことを特徴とする請求項１または２のいずれか記載のメニュー選択入力方法である。
【００１４】
本発明は、スクロール画面は、複数のサイズ要素を含むサイズ選択領域を有し、サイズ選択領域のサイズ要素はスクロール画面の横方向にスクロールされて、所望のサイズ要素をスクロール画面の中央にもってくることにより、当該サイズ要素が決定されることを特徴とするメニュー選択入力方法である。
【００１５】
本発明は、スクロール画面は、複数のセットメニュー要素を含むセットメニュー選択領域を有し、セットメニュー選択領域のセットメニュー要素はスクロール画面の横方向にスクロールされて、所望のセットメニュー要素をスクロール画面の中央にもってくることにより、当該セットメニュー要素が決定されることを特徴とするメニュー選択入力方法である。
【発明の効果】
【００１６】
以上のように本発明によれば、スクロール画面を有するメニュー選択端末を用いて、容易かつ簡単にメニューを選択することができる。
【図面の簡単な説明】
【００１７】
【図１】図１は本発明によるメニュー選択入力端末を示す図。
【図２】図２（ａ）はカテゴリー選択領域のカテゴリー要素のリストを示し、図２（ｂ）はメニュー種類選択領域中のメニュー種類要素のリストを示し、図２（ｃ）はサイズ選択領域中のサイズ要素のリストを示し、図２（ｄ）はセットメニュー選択領域中のセットメニュー要素のリストを示す。
【図３】図３（ａ）（ｂ）はメニュー選択端末の操作方法を示す図である。
【図４】図４（ａ）（ｂ）（ｃ）はメニュー選択端末の他の操作方法を示す図である。
【図５】図５（ａ）（ｂ）はメニュー選択端末の他の操作方法を示す図である。
【発明の実施の形態】
【００１８】
以下、図面を参照して本発明の実施の形態について説明する。
【００１９】
図１乃至図５は本発明によるメニュー選択入力端末を示す図である。
【００２０】
図１および図２（ａ）（ｂ）（ｃ）（ｄ）に示すように、本発明によるメニュー選択入力端末１０は、スクロール画面１０Ａを含むスマートフォンからなり、このスクロール画面１０Ａに対して操作することにより商品メニューを選択することができる。このようなメニュー選択入力端末１０は、レストラン等内でお客様からオーダーを受けた店員が操作するものである。
【００２１】
メニュー選択入力端末１０は、上述のようにスクロール画面１０Ａを含み、このスクロール画面１０Ａは、複数のカテゴリー要素１１ａを含むカテゴリー選択領域１１と、複数のメニュー種類要素１２ａを含むメニュー種類要素選択領域１２と、複数のサイズ要素１３ａを含むサイズ選択領域１３と、複数のセットメニュー要素１４ａを含むセットメニュー選択領域１４とを備えている。
【００２２】
このうちカテゴリー選択領域１１のカテゴリー選択要素１１ａは、メニューの大分類となるカテゴリーを選択するものであり、例えば「朝食」「定食」「丼」「カレー」「サイド」「ドリンク」「デザート」「サービス」等のカテゴリー選択要素からなる（図２（ａ）参照）。
【００２３】
またメニュー種類要素選択領域１２のメニュー種類要素１２ａは、メニューの中分類となるメニュー種類を選択するものであり、例えばカテゴリーとして「牛丼」を選択した場合、「高菜」「キムチ」「白髪」「オクラ」「おろし」「空白」「ねぎ玉」「山かけ」「チーズ」「メンマ」等のメニュー種類選択要素からなる（図２（ｂ）参照）。またカテゴリーとして「カレー」を選択した場合、メニュー種類要素１２ａは、「野菜」「チーズ」「やきとり」「牛」「空白」「おんたま」「バーグ」「チバーグ」「お子様」等のメニュー種類要素からなる（図２（ｂ）参照）。
【００２４】
図２（ｂ）において「空白」は該当するメニュー種類要素がないことを意味する。
【００２５】
さらにサイズ選択領域１３のサイズ要素１３ａは、メニューのサイズを選択するものであり、例えばメニュー種類として「牛丼」を選択した場合は、「ミニ」「中盛」「並」「大盛」「特盛」「メガ」「キング」等のサイズ要素からなる（図２（ｃ）参照）。またメニュー種類として「海鮮丼」を選択した場合、サイズ要素１３ａは「ごはんミニ」「中盛」「並」「ごはん大盛」「ごはん特盛」「メガ」「キング」等のサイズ要素からなる（図２（ｃ）参照）。
【００２６】
さらにまたセットメニュー選択領域１４のセットメニュー要素１４ａは、サイドメニューが付いたセットメニューを選択するものであり、例えばメニュー種類として「牛丼」を選択した場合は、「たまご」「３点」「健康」「サラダ」「空白」「汁サラダ」「汁健康」「汁３点」「汁たまご」「汁おしんこ」等のサイドメニューからなる（図２（ｄ）参照）。またメニュー種類として「鮭朝食」を選択した場合、セットメニュー要素１４ａは、「朝牛皿２倍」「朝牛皿ミニ」「朝牛皿中」「朝牛皿並」「空白」「朝食サラダ」「朝おしんこ」「朝やっこ」「朝キムチ」「朝食かけ」等のサイドメニューからなる（図２（ｄ）参照）。
【００２７】
図２（ｄ）において、「空白」は該当するセットメニュー要素がないことを意味する。
【００２８】
次にカテゴリー選択領域１１、メニュー種類選択領域１２、サイズ選択領域１３およびセットメニュー選択領域１４について更に説明する。
【００２９】
これらカテゴリー選択領域１１、メニュー種類選択領域１２、サイズ選択領域１３およびセットメニュー選択領域１４は、いずれもスクロール画面１０Ａ上で横方向にスクロール可能となっている。
【００３０】
例えば図１に示すように、カテゴリー選択領域１１では、スクロール画面１０Ａ上でカテゴリー要素１１ａが横方向にスクロールされ、所望のカテゴリー要素１１ａ（例えば「牛丼」）をスクロール画面１０Ａ上の中央にもってくることにより、当該所望のカテゴリー要素１１ａを決定する。
【００３１】
またメニュー種類選択領域１２では、スクロール画面１０Ａ上でメニュー種類要素１２ａが横方向にスクロールされ、所望のメニュー種類要素１２ａ（例えば「空白」）をスクロール画面１０Ａ上の中央にもってくることにより、当該所望のメニュー種類要素１２ａを決定する。
【００３２】
さらにサイズ選択領域１３では、スクロール画面１０Ａ上で、サイズ要素１３ａが横方向にスクロールされ、所望のサイズ要素１３ａ（例えば「並」）をスクロール画面１０Ａ上の中央にもってくることにより、当該所望のサイズ要素１３ａを決定する。
【００３３】
またセットメニュー選択領域１４では、スクロール画面１０Ａ上でセットメニュー要素１４ａが横方向にスクロールされ、所望のセットメニュー要素１４ａ（例えば「空白）をスクロール画面１０Ａ上の中央にもってくることにより、当該所望のセットメニュー要素１４ａを決定する。
【００３４】
またメニュー選択入力端末１０は、スクロール画面１０Ａ上方に設置され、商品メニューを表示する商品メニュー画面１０Ｂを更に有している。この商品メニュー画面１０Ｂは、決定されたカテゴリー要素１１ａ、決定されたメニュー種類要素１２ａ、決定されたサイズ要素１３ａおよび決定されたセットメニュー要素１４ａに基づいて定まる商品メニュー、例えば「牛丼  並  ￥２８０」を表示するものである。
【００３５】
また、スクロール画面１０Ａ上では、例えばカテゴリー選択領域１１中で所望のカテゴリー要素１１ａを中央にもってきて決定したとき、メニュー種類選択領域１２では、決定されたカテゴリー要素１１ａに関連するメニュー種類要素１２ａのみが選択可能な要素として表示される。
【００３６】
同様にメニュー種類選択領域１２中で所望のメニュー種類要素１２ａを中央にもってきて決定したとき、サイズ選択領域１３では、決定されたメニュー種類要素１２ａに関連するサイズ要素１３ａのみが選択可能な要素として表示される。
【００３７】
またセットメニュー選択領域１４では、メニュー種類選択領域１２で決定されたメニュー種類要素１２ａに関連するセットメニュー要素１４ａのみが選択可能な要素として表示される。
【００３８】
次にこのような構成からなる本実施の形態について説明する。
【００３９】
レストラン等内で店員はお客様からのオーダーを受けた際、メニュー選択入力端末１０のスクロール画面１０Ａを操作する。
【００４０】
例えば、図３（ａ）に示すように、カテゴリー選択領域１１中において、まず所望のカテゴリー要素１１ａ（例えば「朝食」）をスクロール画面１０Ａの中央にもってきて、決定する。
【００４１】
次にメニュー種類選択領域１２中において、所望のメニュー種類要素１２ａ（例えば「鮭」）をスクロール画面１０Ａの中央にもってきて決定する。
【００４２】
次にサイズ選択領域１３中において所望のサイズ要素１３ａ（例えば「並」）をスクロール画面１０Ａの中央にもってきて決定する。
【００４３】
その後、セットメニュー選択領域１４中において、所望のセットメニュー要素１４ａ（例えば「空白」）をスクロール画面１０Ａの中央にもってきて決定する。
【００４４】
このようにして決定されたカテゴリー要素１１ａ（「朝食」）、メニュー種類要素１２ａ（「鮭」）、サイズ要素１３ａ（「並」）およびセットメニュー要素１４ａ（「空白」）に基づいて定まる商品メニュー１６が、商品メニュー画面１０Ｂ上に表示される。
【００４５】
図３（ａ）において、カテゴリー要素１１ａ（「朝食」）、メニュー種類要素１２ａ（「鮭」）、サイズ要素１３ａ（「並」）およびセットメニュー要素１４ａ（「空白」）に基づいて、２つの商品メニュー１６（「汁鮭朝食  並  ￥４２０」および「鮭朝食  並  ￥３６０」）が定まり、これら２つの商品メニュー１６が商品メニュー画面１０Ｂ上に上下方向に並べて表示される。次に店員は商品メニュー画面１０Ｂ上の商品メニュー１６の中からお客様が特定する商品メニュー１６、例えば「鮭朝食  並  ￥３６０」をタッチすることによりこの商品メニューを選択する。
【００４６】
このようにして選択された商品メニューは、メニュー選択入力端末１０から調理場へ送信され、調理場において、特定された商品メニューが準備される。
【００４７】
なお、図３（ａ）において、メニュー種類選択領域１２では、カテゴリー選択領域１１で決定されたカテゴリー要素１１ａ（「朝食」）に関連するメニュー種類要素１２ａ（「たまごかけ」「鮭」「納豆」等）のみが選択可能な要素として表示され、サイズ選択領域１３では、メニュー種類選択領域１２で決定されたメニュー種類要素１２ａ（「鮭」）に関連するサイズ要素１３ａ（「並」「ご大盛」等）のみが選択可能な要素として表示される。
【００４８】
またセットメニュー選択領域１４では、メニュー種類選択領域１２で決定されたメニュー種類要素１２ａ（「鮭」）に関連するセットメニュー要素１４ａ（「朝食皿並」「朝食サラダ」等）のみが選択可能な要素として表示される。
【００４９】
なお、図３（ａ）に示す操作方法に限ることなく、図３（ｂ）に示すように、メニュー選択入力端末を操作してもよい。
【００５０】
例えば、図３（ｂ）に示すように、カテゴリー選択領域１１中において、まず所望のカテゴリー要素１１ａ（例えば「サイド」）をスクロール画面１０Ａの中央にもってきて、決定する。
【００５１】
次にメニュー種類選択領域１２中において、所望のメニュー種類要素１２ａ（例えば「キムチ」）をスクロール画面１０Ａの中央にもってきて決定する。
【００５２】
この場合、サイズ選択領域１３およびセットメニュー選択領域１４では、各々サイズ要素１３ａおよびセットメニュー要素１４ａは選択不能となるため、スクロール画面１０Ａにはサイズ選択領域１３およびセットメニュー選択領域１４は表示されることはない。
【００５３】
このようにして決定されたカテゴリー要素１１ａ（「サイド」）、メニュー種類要素１２ａ（「キムチ」）に基づいて定まる商品メニュー１６が、商品メニュー画面１０Ｂ上に表示される。
【００５４】
図３（ｂ）において、カテゴリー要素１１ａ（「サイド」）、メニュー種類要素１２ａ（「キムチ」）に基づいて、１つの商品メニュー１６（「キムチ  ￥８０」）が定まり、この商品メニュー１６が商品メニュー画面１０Ｂ上に表示される。次に店員は商品メニュー画面１０Ｂ上の「キムチ  ￥８０」をタッチしてこの商品メニューを選択する。
【００５５】
このようにして選択された商品メニューは、メニュー選択入力端末１０から調理場へ送信され、調理場において、特定された商品メニューが準備される。
【００５６】
また図４（ａ）に示すように、メニュー選択入力端末１０を操作してもよい。
【００５７】
図４（ａ）に示すように、カテゴリー選択領域１１中において、まず所望のカテゴリー要素１１ａ（例えば「丼」）をスクロール画面１０Ａの中央にもってきて、決定する。
【００５８】
次にメニュー種類選択領域１２中において、所望のメニュー種類要素１２ａ（例えば「海鮮」）をスクロール画面１０Ａの中央にもってきて決定する。
【００５９】
次にサイズ選択領域１３中において所望のサイズ要素１３ａ（例えば「並」）をスクロール画面１０Ａの中央にもってきて決定する。
【００６０】
その後、セットメニュー選択領域１４中において、所望のセットメニュー要素１４ａ（例えば「空白」）をスクロール画面１０Ａの中央にもってきて決定する。
【００６１】
このようにして決定されたカテゴリー要素１１ａ（「丼」）、メニュー種類要素１２ａ（「海鮮」）、サイズ要素１３ａ（「並」）およびセットメニュー要素１４ａ（「空白」）に基づいて定まる商品メニュー１６が商品メニュー画面１０Ｂ上に表示される。
【００６２】
図４（ａ）において、カテゴリー要素１１ａ（「丼」）、メニュー種類要素１２ａ（「海鮮」）、サイズ要素１３ａ（「並」）およびセットメニュー要素１４ａ（「空白」）に基づいて、２つの商品メニュー１６（「牛海鮮  並  ￥６１０」および「海鮮中華  並  ￥４８０」）が定まり、これら２つの商品メニュー１６が商品メニュー画面１０Ｂ上に上下方向に並べて表示される。次に店員は商品メニュー画面１０Ｂ上の商品メニュー１６の中からお客様が特定する商品メニュー１６、例えば「牛海鮮  並  ￥６１０」をタッチしてこの商品メニューを選択する。
【００６３】
このようにして選択された商品メニューは、メニュー選択入力端末１０から調理場へ送信され、調理場において、特定された商品メニューが準備される。
【００６４】
さらに図４（ｂ）に示すようにメニュー選択入力端末１０を操作してもよい。
【００６５】
例えば、図４（ｂ）に示すように、カテゴリー選択領域１１中において、まず所望のカテゴリー要素１１ａ（例えば「定食」）をスクロール画面１０Ａの中央にもってきて、決定する。
【００６６】
次にメニュー種類選択領域１２中において、所望のメニュー種類要素１２ａ（例えば「牛皿」）をスクロール画面１０Ａの中央にもってきて決定する。
【００６７】
次にサイズ選択領域１３中において所望のサイズ要素１３ａ（例えば「並」）をスクロール画面１０Ａの中央にもってきて決定する。
【００６８】
その後、セットメニュー選択領域１４中において、所望のセットメニュー要素１４ａ（例えば「空白」）をスクロール画面１０Ａの中央にもってきて決定する。
【００６９】
このようにして決定されたカテゴリー要素１１ａ（「定食」）、メニュー種類要素１２ａ（「牛皿」）、サイズ要素１３ａ（「並」）およびセットメニュー要素１４ａ（「空白」）に基づいて定まる商品メニュー１６は、商品メニュー画面１０Ｂ上に表示される。
【００７０】
図４（ｂ）において、カテゴリー要素１１ａ（「定食」）、メニュー種類要素１２ａ（「牛皿」）、サイズ要素１３ａ（「並」）およびセットメニュー要素１４ａ（「空白」）に基づいて、３つの商品メニュー１６（「牛皿定食  ２倍盛  並  ￥５８０」「牛皿定食  中盛  並  ￥５１０」「牛皿定食  並  ￥４２０」）が定まり、これら３つの商品メニュー１６が商品メニュー画面１０Ｂ上に上下方向に並べて表示される。次に店員は商品メニュー画面１０Ｂ上の商品メニュー１６の中からお客様が特定する商品メニュー１６、例えば「牛皿定食  並  ￥４２０」をタッチしてこの商品メニューを選択する。
【００７１】
このようにして選択された商品メニューは、メニュー選択入力端末１０から調理場へ送信され、調理場において、特定された商品メニューが準備される。
【００７２】
また図４（ｃ）に示すようにメニュー選択入力端末１０を操作してもよい。
【００７３】
例えば、図４（ｃ）に示すように、カテゴリー選択領域１１中において、まず所望のカテゴリー要素１１ａ（例えば「丼」）をスクロール画面１０Ａの中央にもってきて、決定する。
【００７４】
次にメニュー種類選択領域１２中において、所望のメニュー種類要素１２ａ（例えば「まぐろ」）をスクロール画面１０Ａの中央にもってきて決定する。
【００７５】
次にサイズ選択領域１３中において所望のサイズ要素１３ａ（例えば「ご大盛」）をスクロール画面１０Ａの中央にもってきて決定する。
【００７６】
その後、セットメニュー選択領域１４中において、所望のセットメニュー要素１４ａ（例えば「汁サラダ」）をスクロール画面１０Ａの中央にもってきて決定する。
【００７７】
このようにして決定されたカテゴリー要素１１ａ（「丼」）、メニュー種類要素１２ａ（「まぐろ」）、サイズ要素１３ａ（「ご大盛」）およびセットメニュー要素１４ａ（「汁サラダ」）に基づいて定まる商品メニュー１６は、商品メニュー画面１０Ｂ上に表示される。
【００７８】
図４（ｃ）において、カテゴリー要素１１ａ（「丼」）、メニュー種類要素１２ａ（「まぐろ」）、サイズ要素１３ａ（「ご大盛」）およびセットメニュー要素１４ａ（「空白」）に基づいて、３つの商品メニュー１６（「まぐろ山かけごはん  大盛  汁サラダ  ￥８１０」「おんたま変更  まぐろごはん大盛  汁サラダ」「まぐろごはん  大盛  汁サラダ  ￥７１０」）が定まり、これら３つの商品メニュー１６が商品メニュー画面１０Ｂ上に上下方向に並べて表示される。次に店員は商品メニュー画面１０Ｂ上の商品メニュー１６の中からお客様が特定する商品メニュー１６、例えば「まぐろごはん  大盛  汁サラダ  ￥７１０」をタッチしてこの商品メニューを選択する。
【００７９】
このようにして選択された商品メニューは、メニュー選択入力端末１０から調理場へ送信され、調理場において、特定された商品メニューが準備される。
【００８０】
また図５（ａ）に示すようにメニュー選択入力端末１０を操作してもよい。
【００８１】
例えば、図５（ａ）に示すように、カテゴリー選択領域１１中において、まず所望のカテゴリー要素１１ａ（例えば「カレー」）をスクロール画面１０Ａの中央にもってきて、決定する。
【００８２】
次にメニュー種類選択領域１２中において、所望のメニュー種類要素１２ａ（例えば「空白」）をスクロール画面１０Ａの中央にもってきて決定する。
【００８３】
次にサイズ選択領域１３中において所望のサイズ要素１３ａ（例えば「並」）をスクロール画面１０Ａの中央にもってきて決定する。
【００８４】
その後、セットメニュー選択領域１４中において、所望のセットメニュー要素１４ａ（例えば「空白」）をスクロール画面１０Ａの中央にもってきて決定する。
【００８５】
このようにして決定されたカテゴリー要素１１ａ（「カレー」）、メニュー種類要素１２ａ（「空白」）、サイズ要素１３ａ（「並」）およびセットメニュー要素１４ａ（「空白」）に基づいて定まる商品メニュー１６は、商品メニュー画面１０Ｂ上に表示される。
【００８６】
図３（ａ）において、カテゴリー要素１１ａ（「カレー」）、メニュー種類要素１２ａ（「空白」）、サイズ要素１３ａ（「並」）およびセットメニュー要素１４ａ（「空白」）に基づいて、１つの商品メニュー１６（「カレー  並  ￥３６０」）が定まり、この商品メニュー１６が商品メニュー画面１０Ｂ上に表示される。次に店員は商品メニュー画面１０Ｂ上の「カレー  並  ￥３６０」をタッチしてこの商品メニューを選択する。
【００８７】
このようにして選択された商品メニューは、メニュー選択入力端末１０から調理場へ送信され、調理場において、特定された商品メニューが準備される。
【００８８】
さらにまた、図５（ｂ）に示すようにメニュー選択入力端末１０を操作してもよい。
【００８９】
例えば、図５（ｂ）に示すように、カテゴリー選択領域１１中において、まず所望のカテゴリー要素１１ａ（例えば「サイド」）をスクロール画面１０Ａの中央にもってきて、決定する。
【００９０】
次にメニュー種類選択領域１２中において、所望のメニュー種類要素１２ａ（例えば「すきすきセット」）をスクロール画面１０Ａの中央にもってきて決定する。
【００９１】
次にサイズ選択領域１３中において所望のサイズ要素１３ａ（例えば「じゃがＬ」）をスクロール画面１０Ａの中央にもってきて決定する。
【００９２】
その後、セットメニュー選択領域１４中において、所望のセットメニュー要素１４ａ（例えば「ウーロン茶」）をスクロール画面１０Ａの中央にもってきて決定する。
【００９３】
このようにして決定されたカテゴリー要素１１ａ（「サイド」）、メニュー種類要素１２ａ（「すきすきセット」）、サイズ要素１３ａ（「じゃがＬ」）およびセットメニュー要素１４ａ（「ウーロン茶」）に基づいて定まる商品メニュー１６が商品メニュー画面１０Ｂ上に表示される。
【００９４】
図５（ｂ）において、カテゴリー要素１１ａ（「サイド」）、メニュー種類要素１２ａ（「すきすきセット」）、サイズ要素１３ａ（「じゃがＬ」）およびセットメニュー要素１４ａ（「ウーロン茶」）に基づいて、１つの商品メニュー１６（「すきすきセットじゃがＬ  ウーロン茶  ￥２５０」）が定まり、この商品メニュー１６が商品メニュー画面１０Ｂ上に表示される。次に店員は商品メニュー画面１０Ｂ上の「すきすきセットじゃがＬ  ウーロン茶  ￥２５０」をタッチしてこの商品メニューを選択する。
【００９５】
このようにして選択された商品メニューは、メニュー選択入力端末１０から調理場へ送信され、調理場において、特定された商品メニューが準備される。
【００９６】
ところで、メニュー選択入力端末１０は上記のような機能を実行するためのコンピュータソフトウェアを内蔵したスマートフォンからなるが、このようなコンピュータソフトウェアは、個々のメニュー選択入力端末１０の情報記憶部（図示せず）に記憶されている。
【００９７】
また商品メニューを変更する場合、その都度コンピュータソフトウェアを変更する必要があるが、個々のメニュー選択入力端末１０に対して外部からコンピュータソフトウェアの書換え情報を配信することにより、容易にメニュー選択入力端末１０のコンピュータソフトウェアを変更することができる。
【００９８】
また、お客様が自分のスマートフォンに上記コンピュータソフトウェアをダウンロードしておいてもよい。この場合、お客様は、自分のスマートフォンをメニュー選択入力端末１０として機能させることができ、お客様は自分のスマートフォンを用いて予め商品メニューの選択入力をしておくことができる。お客様は入力したスマートフォンの情報をレストランに設置されている情報受領端末に送ることにより、迅速に商品メニューの選択入力作業を実行することができる。
【００９９】
また、上記実施の形態において、はじめにカテゴリー要素１１ａを選択し、次にメニュー種類要素１２ａを選択し、その後サイズ要素１３ａを選択し、最後にセットメニュー要素１４ａを選択した例を示したが、各要素１１ａ、１２ａ、１３ａ、１４ａを選択する順番はこれに限られるものではなく、任意の順番をとることができる。
【０１００】
さらにまた、上述のようにメニュー選択入力端末１０により商品メニュー１６を選択する際、複数の商品メニュー１６が求まることがあり、複数の商品メニュー１６は商品メニュー画面１０Ｂ上に上下方向に並べて表示される（図４（ｃ）参照）。商品メニュー画面１０Ｂ上に多数の商品メニュー１６を表示する場合、すべての商品メニュー１６を商品メニュー画面１０Ｂ上に一度に表示することができないことも考えられる。
【０１０１】
この場合は商品メニュー画面１０Ｂを上下方向にスクロールすることにより、すべての商品メニュー１６を商品メニュ画面１０Ｂ上に表示することができる。
【符号の説明】
【０１０２】
１０  メニュー選択入力端末
１０Ａ  スクロール画面
１０Ｂ  商品メニュー画面
１１  カテゴリー選択領域
１１ａ  カテゴリー要素
１２  メニュー種類選択領域
１２ａ  メニュー種類要素
１３  サイズ選択領域
１３ａ  サイズ要素
１４  セットメニュー選択領域
１４ａ  セットメニュー要素
１  商品メニュー
【図１】
2014106684.tif 000003
【図２】
2014106684.tif 000004
【図３】
2014106684.tif 000005
【図４】
2014106684.tif 000006
【図５】
2014106684.tif 000007